(57)【要約】【課題】映像表示装置あるいは外付け機器から同期信号を出力する機構を必要としない同期装置を提供する。【解決手段】実施形態に係る同期装置は、立体映像視聴用のシャッター眼鏡２０の左右シャッターの切り替わりを、映像表示装置１０が交互に表示する右眼用映像フレーム及び左眼用映像フレームの切り替わりと同期させる。同期装置は、映像表示装置１０の映像表示面１１に取り付けられるセンサ１００と、センサ１００の出力信号に応じて、左右シャッターの切り替わりを制御するように構成されたコントローラ２００とを具備する。右眼用映像フレーム及び左眼用映像フレームは、右眼用映像フレーム及び左眼用映像フレームを判別するための判別マークを含む。センサ１００は、映像表示面１１に表示される判別マークを検出するように構成される。【選択図】図１
2012095050.tif 000002
【特許請求の範囲】
【請求項１】
立体映像視聴用のシャッター眼鏡の左右シャッターの切り替わりを、映像表示装置が交互に表示する右眼用映像フレーム及び左眼用映像フレームの切り替わりと同期させるための同期装置であって、
前記映像表示装置の映像表示面に取り付けられるセンサと、
前記センサの出力信号に応じて、前記左右シャッターの切り替わりを制御するように構成されたコントローラとを具備し、
前記右眼用映像フレーム及び前記左眼用映像フレームは、前記右眼用映像フレーム及び前記左眼用映像フレームを判別するための判別マークを含み、
前記センサは、前記映像表示面に表示される前記判別マークを検出するように構成されることを特徴とする同期装置。
【請求項２】
前記判別マークは、前記映像表示面の端部に対応する位置に表示され、
前記センサは、前記映像表示面の端部に取り付けられることを特徴とする請求項１に記載の同期装置。
【請求項３】
前記センサは、
入射する光に応じた電気信号を出力するフォトセルと、
前記フォトセルの光入射面の反対側の面と、前記フォトセルの側面とを覆うカバーと
を具備することを特徴とする請求項１又は２に記載の同期装置。
【請求項４】
前記右眼用映像フレーム及び前記左眼用映像フレームのそれぞれに対応する映像信号を前記映像表示装置に出力する外付け機器をさらに具備し、
前記外付け機器は、前記右眼用映像フレーム及び前記左眼用映像フレームのそれぞれに対応する映像信号に対し、前記判別マークに対応する映像信号を挿入することを特徴とする請求項１〜３の何れか一項に記載の同期装置。
【請求項５】
立体映像視聴用のシャッター眼鏡の左右シャッターの切り替わりを、映像表示装置が交互に表示する右眼用映像フレーム及び左眼用映像フレームの切り替わりと同期させるための同期方法であって、
前記右眼用映像フレーム及び前記左眼用映像フレームに対応する映像信号であって、前記右眼用映像フレーム及び前記左眼用映像フレームは、前記右眼用映像フレーム及び前記左眼用映像フレームを判別するための判別マークを含む映像信号を前記映像表示装置に入力するステップと、
前記映像表示装置の映像表示面に取り付けられるセンサが、前記映像表示面に表示される前記判別マークを検出するステップと、
コントローラが、前記センサの出力信号に応じて、前記左右シャッターの切り替わりを制御するステップと
を具備することを特徴とする同期方法。
【発明の詳細な説明】
【技術分野】
【０００１】
本発明は、アクティブシャッター方式の立体映像視聴システムで用いられる同期装置及び同期方法に関する。
【背景技術】
【０００２】
近年、視聴者が立体映像を視聴できる立体映像視聴システムが注目されている。立体映像視聴システムには、アクティブシャッター方式と称される方式がある。アクティブシャッター方式とは、別々の角度で撮影して得られた映像フレームを映像表示装置が左右交互に表示し、それと同期してシャッター眼鏡が左右交互に開閉する方式である。
【０００３】
アクティブシャッター方式を実現するためには、シャッター眼鏡の左右シャッター（左眼用シャッター及び右眼用シャッター）の切り替わりを、左眼用映像フレーム及び右眼用映像フレームの切り替わりと同期させるための同期装置が必要になる。このような同期装置としては、入力映像信号に対する信号処理によって同期信号を生成し、生成した同期信号をシャッター眼鏡のコントローラに伝送する方式が知られている（例えば特許文献１参照）。
【先行技術文献】
【特許文献】
【０００４】
【特許文献１】特開平８−３２２０６３号公報
【発明の概要】
【発明が解決しようとする課題】
【０００５】
しかしながら、入力映像信号から同期信号を生成する従来の同期装置には、次のような問題がある。具体的には、同期信号を映像表示装置から出力する機構、あるいは、同期信号を外付け機器（チューナ装置等）から出力する機構を新たに設ける必要があるため、そのような機構を持たない映像表示装置あるいは外付け機器には適用できないという問題があった。
【０００６】
そこで、本発明は、映像表示装置あるいは外付け機器から同期信号を出力する機構を必要としない同期装置及び同期方法を提供することを目的とする。
【課題を解決するための手段】
【０００７】
上述した課題を解決するために、本発明は以下のような特徴を有している。まず、本発明に係る同期装置の特徴は、立体映像視聴用のシャッター眼鏡（シャッター眼鏡２０）の左右シャッターの切り替わりを、映像表示装置（映像表示装置１０）が交互に表示する右眼用映像フレーム及び左眼用映像フレームの切り替わりと同期させるための同期装置であって、前記映像表示装置の映像表示面（映像表示面１１）に取り付けられるセンサ（センサ１００）と、前記センサの出力信号に応じて、前記左右シャッターの切り替わりを制御するように構成されたコントローラ（コントローラ２００）とを具備し、前記右眼用映像フレーム及び前記左眼用映像フレームは、前記右眼用映像フレーム及び前記左眼用映像フレームを判別するための判別マークを含み、前記センサは、前記映像表示面に表示される前記判別マークを検出するように構成されることを要旨とする。
【０００８】
このような同期装置によれば、映像表示装置の映像表示面を用いて、シャッター眼鏡の左右シャッターの切り替わりを右眼用映像フレーム及び左眼用映像フレームの切り替わりと同期させることができる。従って、映像表示装置あるいは外付け機器から同期信号を出力する機構を必要としない同期装置を提供できる。
【０００９】
本発明に係る同期装置の他の特徴は、上記特徴に係る同期装置において、前記判別マークは、前記映像表示面の端部に対応する位置に表示され、前記センサは、前記映像表示面の端部に取り付けられることを要旨とする。
【００１０】
このような特徴によれば、映像表示面において余り目立たない箇所にセンサを取り付け可能にすることができる。
【００１１】
本発明に係る同期装置の他の特徴は、上記特徴に係る同期装置において、前記センサは、入射する光に応じた電気信号を出力するフォトセル（フォトセル１０１）と、前記フォトセルの光入射面の反対側の面と、前記フォトセルの側面とを覆うカバー（カバー１０２）とを具備することを要旨とする。
【００１２】
このような特徴によれば、センサをシンプルな構成で実現できるため、同期装置のコスト増を抑制できる。また、判別マーク以外の光をカバーによって遮ることができ、判別マークの検出精度を改善できる。
【００１３】
本発明に係る同期装置の他の特徴は、上記特徴に係る同期装置において、前記右眼用映像フレーム及び前記左眼用映像フレームのそれぞれに対応する映像信号を前記映像表示装置に出力する外付け機器（外付け機器３０）をさらに具備し、前記外付け機器は、前記右眼用映像フレーム及び前記左眼用映像フレームのそれぞれに対応する映像信号に対し、前記判別マークに対応する映像信号を挿入することを要旨とする。
【００１４】
このような特徴によれば、元々の映像信号に判別マークが付与されていないケースにおいても、映像表示装置の前段で判別マークを付与することができる。
【００１５】
本発明に係る同期方法の特徴は、立体映像視聴用のシャッター眼鏡の左右シャッターの切り替わりを、映像表示装置が交互に表示する右眼用映像フレーム及び左眼用映像フレームの切り替わりと同期させるための同期方法であって、前記右眼用映像フレーム及び前記左眼用映像フレームに対応する映像信号であって、前記右眼用映像フレーム及び前記左眼用映像フレームは、前記右眼用映像フレーム及び前記左眼用映像フレームを判別するための判別マークを含む映像信号を前記映像表示装置に入力するステップと、前記映像表示装置の映像表示面に取り付けられるセンサが、前記映像表示面に表示される前記判別マークを検出するステップと、コントローラが、前記センサの出力信号に応じて、前記左右シャッターの切り替わりを制御するステップとを具備することを要旨とする。
【発明の効果】
【００１６】
本発明によれば、映像表示装置あるいは外付け機器から同期信号を出力する機構を必要としない同期装置及び同期方法を提供できる。
【図面の簡単な説明】
【００１７】
【図１】第１実施形態に係る立体映像視聴システムの全体構成を示す図である。
【図２】図２（ａ）は、右眼映像用判別マークを説明するための図であり、図２（ｂ）は、左眼映像用判別マークを説明するための図である。
【図３】第１実施形態に係るセンサの構成を示す概略断面図である。
【図４】第１実施形態に係るコントローラ及びシャッター眼鏡の動作を示すフローチャートである。
【図５】第２実施形態に係る立体映像視聴システムの全体構成を示す図である。
【図６】第２実施形態に係る外付け機器の動作を示すフローチャートである。
【図７】その他の実施形態に係るシャッター眼鏡の構成を示すブロック図である。
【発明を実施するための形態】
【００１８】
図面を参照して、本発明の第１実施形態、第２実施形態、及びその他の実施形態を説明する。以下の各実施形態における図面において、同一又は類似の部分には同一又は類似の符号を付す。
【００１９】
（１）第１実施形態
以下、第１実施形態について、（１．１）立体映像視聴システムの構成、（１．２）判別マーク、（１．３）センサの構成、（１．４）コントローラ及びシャッター眼鏡の動作、（１．５）第１実施形態の効果、（１．６）第１実施形態の変更例の順に説明する。
【００２０】
（１．１）立体映像視聴システムの構成
図１は、第１実施形態に係る立体映像視聴システム１Ａの全体構成を示す図である。
【００２１】
図１に示すように、第１実施形態に係る立体映像視聴システム１Ａは、立体映像を表示する映像表示面１１を有する映像表示装置１０と、映像表示装置１０の映像表示面１１に取り付けられるセンサ１００と、センサ１００と有線又は無線により接続されるコントローラ２００と、コントローラ２００と有線又は無線により接続されるシャッター眼鏡２０とを有する。
【００２２】
第１実施形態において、センサ１００及びコントローラ２００は、立体映像視聴用のシャッター眼鏡２０の左右シャッターの切り替わりを、映像表示装置１０が交互に表示する右眼用映像フレーム及び左眼用映像フレームの切り替わりと同期させるための同期装置を構成する。
【００２３】
映像表示装置１０は、テレビジョン受像機又はディスプレイであり、外部から入力される立体映像信号ＩＮに応じて、映像表示面１１に映像を表示する。立体映像信号ＩＮは、右眼用映像フレームに対応する映像信号ＩＮ＿Ｒと、左眼用映像フレームに対応する映像信号ＩＮ＿Ｌとを含んで構成される。
【００２４】
右眼用映像フレームに対応する映像信号ＩＮ＿Ｒには、右眼映像用判別マークに対応する映像信号が含まれており、左眼用映像フレームに対応する映像信号ＩＮ＿Ｌには、左眼映像用判別マークに対応する映像信号が含まれている。
【００２５】
その結果、映像表示装置１０は、右眼映像用判別マークを含む右眼用映像フレームを映像表示面１１に表示し、左眼映像用判別マークを含む左眼用映像フレームを映像表示面１１に表示する。右眼映像用判別マーク及び左眼映像用判別マークの詳細については後述する。
【００２６】
センサ１００は、映像表示面１１に取り付けられ、右眼映像用判別マーク及び左眼映像用判別マークのそれぞれを検出し、検出結果を示す信号（以下、センサ出力信号と称する）を出力する。右眼映像用判別マーク及び左眼映像用判別マークの詳細については後述する。
【００２７】
コントローラ２００は、センサ１００からのセンサ出力信号が入力される。コントローラ２００は、センサ出力信号から右眼用映像フレーム及び左眼用映像フレームを判別し、判別結果に応じた制御信号を出力する。コントローラ２００の詳細については後述する。
【００２８】
シャッター眼鏡２０は、コントローラ２００からの制御信号が入力される。シャッター眼鏡２０は、左眼用シャッター２０Ｌ及び右眼用シャッター２０Ｒ（図７参照）を具備し、コントローラ２００からの制御信号に応じて左眼用シャッター２０Ｌ及び右眼用シャッター２０Ｒのそれぞれを開閉する。なお、左眼用シャッター２０Ｌ及び右眼用シャッター２０Ｒは、例えば液晶シャッターとして構成される。シャッター眼鏡２０の詳細については後述する。
【００２９】
このように、本実施形態に係る同期装置は、映像表示面１１に取り付けられるセンサ１００と、センサ１００の出力信号に応じて、左右シャッター（左眼用シャッター２０Ｌ及び右眼用シャッター２０Ｒ）の切り替わりを制御するように構成されたコントローラ２００とを具備する。右眼用映像フレーム及び左眼用映像フレームは、右眼用映像フレーム及び左眼用映像フレームを判別するための判別マークを含む。センサ１００は、映像表示面１１に表示される判別マークを検出するように構成される。
【００３０】
（１．２）判別マーク
次に、図２を用いて、右眼映像用判別マーク及び左眼映像用判別マークの詳細について説明する。図２（ａ）は、右眼映像用判別マークを説明するための図であり、図２（ｂ）は、左眼映像用判別マークを説明するための図である。
【００３１】
図２（ａ）及び（ｂ）に示すように、右眼映像用判別マーク及び左眼映像用判別マークは、映像表示面１１の端部に対応する位置に表示される。図２の例では、右眼映像用判別マーク及び左眼映像用判別マークは、映像表示面１１の左上端部に対応する位置に表示される。
【００３２】
マーク表示位置は、左上端部に限らず、右上端部、左下端部、又は右下端部であってもよい。但し、マーク表示位置は、映像表示面１１において走査（映像表示）が開始される位置とすることが望ましい。
【００３３】
図２（ａ）に示すように、右眼映像用判別マークは、例えばｎ×ｎ画素の白色領域（すなわち高輝度領域）として構成される。図２（ｂ）に示すように、左眼映像用判別マークは、例えばｎ×ｎ画素の黒色領域（すなわち低輝度領域）として構成される。但し、右眼映像用判別マークを黒色領域として構成し、左眼映像用判別マークを白色領域として構成してもよい。
【００３４】
（１．３）センサの構成
次に、図３を用いて、第１実施形態に係るセンサ１００の詳細について説明する。図３は、第１実施形態に係るセンサ１００の構成を示す概略断面図である。センサ１００は、映像表示面１１の端部（本実施形態では左上端部）に取り付けられる。
【００３５】
図３に示すように、センサ１００は、入射する光に応じた電気信号（すなわちセンサ出力信号）を出力するフォトセル１０１と、フォトセル１０１の光入射面の反対側の面と、フォトセル１０１の側面とを覆うカバー１０２とを具備する。カバー１０２は、例えば接着により映像表示面１１の端部に取り付けられる。フォトセル１０１は、例えばフォトトランジスタを用いて構成される。フォトセル１０１には、センサ出力信号をコントローラ２００に伝送するためのケーブルが接続される。
【００３６】
フォトセル１０１は、入射光の光量（すなわち、輝度）が高いほど、大きい信号レベルのセンサ出力信号を出力する。従って、白色領域として構成された右眼映像用判別マークからの光がフォトセル１０１に入射すると、フォトセル１０１は、大きい信号レベルのセンサ出力信号を出力する。一方、黒色領域として構成された左眼映像用判別マークに対しては、フォトセル１０１は、小さい信号レベルのセンサ出力信号を出力する。
【００３７】
フォトセル１０１の周囲はカバー１０２によって覆われているため、判別マーク以外の光はフォトセル１０１の光入射面に入射しないようにすることができる。
【００３８】
なお、右眼映像用判別マーク及び左眼映像用判別マークはｎ×ｎ画素のサイズであるが、ｎの値は、センサ１００を小型化すれば、非常に小さい値とすることができ、センサ１００が映像視聴の邪魔になる可能性を低減できる。
【００３９】
（１．４）コントローラ及びシャッター眼鏡の動作
図４は、第１実施形態に係るコントローラ２００及びシャッター眼鏡２０の動作を示すフローチャートである。
【００４０】
図４に示すように、ステップＳ１０１において、コントローラ２００は、センサ１００からのセンサ出力信号を閾値と比較し、センサ出力信号が閾値以上であるか否かを確認する。センサ出力信号が閾値以上である場合には、処理がステップＳ１０２に進む。一方、センサ出力信号が閾値未満である場合には、処理がステップＳ１０３に進む。
【００４１】
ステップＳ１０２において、コントローラ２００は、右眼用映像フレームが検出されたことを示す制御信号をシャッター眼鏡２０に出力する。当該制御信号が入力されたシャッター眼鏡２０は、右眼用シャッター２０Ｒを開くとともに、左眼用シャッター２０Ｌを閉じる。
【００４２】
ステップＳ１０３において、コントローラ２００は、左眼用映像フレームが検出されたことを示す制御信号をシャッター眼鏡２０に出力する。当該制御信号が入力されたシャッター眼鏡２０は、右眼用シャッター２０Ｒを閉じるとともに、左眼用シャッター２０Ｌを開く。
【００４３】
なお、コントローラ２００が出力する制御信号は、例えば、右眼用映像フレームが検出されたことを示す制御信号を“１”、左眼用映像フレームが検出されたことを示す制御信号を“０”といったように、二値の信号とすることができる。
【００４４】
ステップＳ１０２又はステップＳ１０３の後、処理がステップＳ１０１に戻る。
【００４５】
（１．５）第１実施形態の効果
以上説明したように、第１実施形態によれば、映像表示装置１０の映像表示面１１を用いて、シャッター眼鏡２０の左右シャッターの切り替わりを右眼用映像フレーム及び左眼用映像フレームの切り替わりと同期させることができる。従って、映像表示装置１０から同期信号を出力する機構を必要としない同期装置を提供できる。
【００４６】
また、第１実施形態では、判別マークは、映像表示面１１の端部に対応する位置に表示され、センサ１００は、映像表示面１１の端部に取り付けられる。これにより、映像表示面１１において余り目立たない箇所にセンサ１００を取り付け可能にすることができる。
【００４７】
さらに、第１実施形態では、センサ１００は、入射する光に応じた電気信号を出力するフォトセル１０１と、フォトセル１０１の光入射面の反対側の面と、フォトセル１０１の側面とを覆うカバー１０２とを具備する。これにより、センサ１００をシンプルな構成で実現できるため、同期装置のコスト増を抑制できる。また、判別マーク以外の光をカバー１０２によって遮ることができ、判別マークの検出精度を改善できる。
【００４８】
（１．６）第１実施形態の変更例
本変更例では、フォトセル１０１の光入射面側に、特定周波数の光のみを通過させる光フィルタを設ける。このような構成では、右眼映像用判別マーク及び左眼映像用判別マークの何れか一方を特定周波数の光の領域として構成し、他方を他の周波数の光の領域として構成すればよい。光フィルタを通過した特定周波数の光は、フォトセル１０１に入射する。フォトセル１０１は、特定周波数の光が入射されたときに大きい信号レベルのセンサ出力信号を出力する。その他の構成及び動作は上述した第１実施形態と同様である。
【００４９】
（２）第２実施形態
以下、第２実施形態について、（２．１）立体映像視聴システムの構成、（２．２）外付け機器の動作、（２．３）第２実施形態の効果、（２．４）第２実施形態の変更例の順に説明する。第２実施形態では、第１実施形態との相違点を主として説明し、重複する説明を省略する。
【００５０】
（２．１）立体映像視聴システムの構成
図５は、第２実施形態に係る立体映像視聴システムの全体構成を示す図である。
【００５１】
図５に示すように、第２実施形態に係る立体映像視聴システム１Ｂは、映像表示装置１０に映像信号ＩＮを出力する外付け機器３０をさらに具備する点で第１実施形態とは異なる。外付け機器３０は、例えば、チューナ装置又はディスク再生装置、あるいは、これらの装置と映像表示装置１０との間に接続される映像信号変換装置である。
【００５２】
外付け機器３０は、右眼用映像フレーム及び左眼用映像フレームのそれぞれに対応する映像信号ＩＮ＿Ｒ及びＩＮ＿Ｌを映像表示装置１０に出力する。外付け機器３０は、その出力段において、右眼用映像フレーム及び左眼用映像フレームのそれぞれに対応する映像信号ＩＮ＿Ｒ及びＩＮ＿Ｌに対し、判別マークに対応する映像信号を挿入する。また、外付け機器３０は、リモコン３１によって操作可能に構成される。
【００５３】
第２実施形態において、センサ１００、コントローラ２００、及び外付け機器３０は、立体映像視聴用のシャッター眼鏡２０の左右シャッターの切り替わりを、映像表示装置１０が交互に表示する右眼用映像フレーム及び左眼用映像フレームの切り替わりと同期させるための同期装置を構成する。
【００５４】
（２．２）外付け機器の動作
図６は、第２実施形態に係る外付け機器３０の動作を示すフローチャートである。
【００５５】
図６に示すように、ステップＳ２０１において、外付け機器３０は、映像表示装置１０に出力する映像信号ＩＮが左眼用映像フレームに対応する映像信号ＩＮ＿Ｌであるか右眼用映像フレームに対応する映像信号ＩＮ＿Ｒであるかを確認する。映像表示装置１０に出力する映像信号ＩＮが左眼用映像フレームに対応する映像信号ＩＮ＿Ｌである場合には、処理がステップＳ２０２に進む。一方、映像表示装置１０に出力する映像信号ＩＮが右眼用映像フレームに対応する映像信号ＩＮ＿Ｒである場合には、処理がステップＳ２０３に進む。
【００５６】
ステップＳ２０２において、外付け機器３０は、左眼用映像フレームに対応する映像信号ＩＮ＿Ｌに対し、左眼映像用判別マークに対応する映像信号を挿入する。具体的には、外付け機器３０は、左眼用映像フレームの端部に対応する映像信号区間を、左眼映像用判別マークに対応する映像信号に置換する。
【００５７】
ステップＳ２０３において、外付け機器３０は、右眼用映像フレームに対応する映像信号ＩＮ＿Ｒに対し、右眼映像用判別マークに対応する映像信号を挿入する。具体的には、外付け機器３０は、右眼用映像フレームの端部に対応する映像信号区間を、右眼映像用判別マークに対応する映像信号に置換する。
【００５８】
なお、右眼映像用判別マーク及び左眼映像用判別マークは、第１実施形態と同様に構成することができる。
【００５９】
（２．３）第２実施形態の効果
以上説明したように、第２実施形態によれば、映像表示装置１０の映像表示面１１を用いて、シャッター眼鏡２０の左右シャッターの切り替わりを右眼用映像フレーム及び左眼用映像フレームの切り替わりと同期させることができる。従って、映像表示装置１０あるいは外付け機器３０から同期信号を出力する機構を必要としない同期装置を提供できる。
【００６０】
また、第２実施形態では、外付け機器３０において判別マークを付与する構成である。このため、元々の映像信号に判別マークが付与されていないケースにおいても、映像表示装置１０の前段で判別マークを付与することができる。
【００６１】
さらに、第２実施形態は、外付け機器３０から同期信号を出力する機構を設けるケースと比較して、次のような効果が得られる。外付け機器３０から同期信号を出力する機構を設けるケースでは、映像表示装置１０における処理遅延に起因して、外付け機器３０から出力される同期信号と、実際の映像の状態とが非同期になる問題がある。一方、第２実施形態では、実際の映像の状態に基づいてシャッター眼鏡２０の同期をとっているため、そのような問題を解消できる。
【００６２】
（２．４）第２実施形態の変更例
上述した第２実施形態では、外付け機器３０は、右眼映像用判別マーク及び左眼映像用判別マークを予め定められた位置及びサイズで挿入していた。しかしながら、外付け機器３０は、判別マークの表示位置及びサイズは、ユーザからの操作に応じて変更してもよい。
【００６３】
ユーザからの操作に応じて判別マークの表示位置を変更可能にすることによって、センサ１００の取り付け位置をユーザの好みに合わせることができる。また、ユーザからの操作に応じて判別マークのサイズを変更可能にすることによって、センサ１００のサイズと判別マークのサイズとを合わせることができる。
【００６４】
さらに、外付け機器３０は、判別マークの表示位置及びサイズを、映像信号ＩＮの内容に応じて自動で変更してもよい。例えば、映像フレームに無画部が含まれる場合（例えば、サイドパネルやレターボックス）には、当該無画部に判別マークが表示されるように判別マークに対応する映像信号を挿入してもよい。
【００６５】
（３）その他の実施形態
上記のように、本発明は各実施形態によって記載したが、この開示の一部をなす論述及び図面はこの発明を限定するものであると理解すべきではない。この開示から当業者には様々な代替実施形態、実施例及び運用技術が明らかとなる。
【００６６】
例えば、上述した各実施形態では、コントローラ２００が出力する制御信号は、左右シャッターの切り替え制御に直接的に使用されていたが、左右シャッターの切り替え制御に間接的に使用されてもよい。例えば、シャッター眼鏡２０内にＰＬＬ回路が設けられる場合には、コントローラ２００が出力する制御信号をＰＬＬ回路の再同期に使用してもよい。このような構成によれば、センサ１００において誤検出が生じた場合であっても、立体映像とシャッター眼鏡２０との間の同期外れが生じる可能性を低減できる。
【００６７】
また、上述した各実施形態では、映像表示装置１０の一例としてテレビジョン受像機又はディスプレイを説明したが、テレビジョン受像機又はディスプレイに限らず、映像表示装置１０がプロジェクタであってもよい。この場合、プロジェクタから映像光が投写されるスクリーンが映像表示面に相当する。
【００６８】
さらに、上述した各実施形態では、左右シャッターを制御するコントローラ２００は、シャッター眼鏡２０の外部に設けられていたが、次のように構成してもよい。図７は、その他の実施形態に係るシャッター眼鏡２０の構成を示すブロック図である。図７に示すように、その他の実施形態に係るシャッター眼鏡２０は、左右シャッター（左眼用シャッター２０Ｌ、右眼用シャッター２０Ｒ）に加え、左右シャッター（左眼用シャッター２０Ｌ、右眼用シャッター２０Ｒ）を制御するコントローラ２００を具備する。すなわち、本実施形態では、コントローラ２００は、シャッター眼鏡２０に設けられる。
【００６９】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００７０】
ＩＮ…映像信号、１Ａ，１Ｂ…立体映像視聴システム、１０…映像表示装置、１１…映像表示面、２０…シャッター眼鏡、２０Ｌ…左眼用シャッター、２０Ｒ…右眼用シャッター、３０…外付け機器、３１…リモコン、１００…センサ、１０１…フォトセル、１０２…カバー、２００…コントローラ
【図１】
2012095050.tif 000003
【図２】
2012095050.tif 000004
【図３】
2012095050.tif 000005
【図４】
2012095050.tif 000006
【図５】
2012095050.tif 000007
【図６】
2012095050.tif 000008
【図７】
2012095050.tif 000009